【手続補正書】
【提出日】平成23年5月30日(2011.5.30)
【手続補正１】
【補正対象書類名】明細書
【補正対象項目名】０１８３
【補正方法】変更
【補正の内容】
【０１８３】
図４８は、可溶性吸収性膜、又不溶性吸収性膜２５で微粒子活性炭２４を挟み微粒子金属電極Ａ２０、Ｂ２１、Ｄ２３を可溶性吸収性膜、又不溶性吸収性膜２５の表面、裏面に離間し固着、上、下面を微粒子活性炭２４で挟み平行キャパシタとする浄化体を示す。
本発明者が行った実験で、撮影場所は全暗にしてカメラを設置、亜鉛板（トタン板）、銅板、銀板（Ｔ１０００４）の３積層電極間に炭クロスを挿入、３積層電極を少し大きい炭クロスに固着、３積層電極はガラス容器（７ｌ）に水道水（３．５ｌ）を入れ透明の○３０×５０ｍｍ台に設置、電極を浸漬させると電場形成、静電気、電圧、電流が発生し、電圧、電流を電気二重層キャパシタに電気エネルギーを貯蔵、許容電圧を超えると放電する発光現象を写真に撮影、電極の形状は図５０に示す通りである。カメラはキャノンＥＯＳ１、レンズはキャノンマクロ１００ｍｍ、Ｆ２．８、バルブ（長時間露出）機能付き、フィルムはＦＵＪＩＦＩＬＭ  ナチュラル１６００、現像時点の感度は３２００。以上の写真撮影の結果を図４９に示す。
この実験で、電気化学ポテンシャル列の異なる種類の金属、亜鉛材、銀材，銅材、（Ｔ−１０００１）の電極の電極間に炭クロスを挿入、３積層に重ね大きい炭クロスに固着、３積層電極と電解液（純水５０ｍｌ）をプラスチック容器に入れ、３日間電圧、電流、抵抗を測定した。異なる電極間に電圧、電流、抵抗値が発生し電圧、電流が徐々に増えてその後又減少する「充電、放電」を純水が有る限り長期に渡り繰り返す亜鉛電池になり、測定値は表２０に示す通りであり、電極形状は図２に示す通りである。
【表２０】
2011078958.tif 000001
更に、亜鉛板、銀板、銅板の電極間に布を挿入し３積層電極とし（Ｔ−１０００２）３日間を測定すると亜鉛電池になり放電、充電を繰り返し続けて測定値は表２１―１に示す通りである。
【表２１−１】
2011078958.tif 000002
表２１−２〜４は、新潟県工業技術総合研究所発行の試験成績書である。
試験成績書
第２２−００１６号
（１）電流、電圧、抵抗の測定
（２）遠赤外線放射量の測定
【表２１−２】
2011078958.tif 000003
【表２１−３】
2011078958.tif 000004
【表２１−４】
2011078958.tif 000005
更に実験で、電気化学ポテンシャル列の異なる種類の金属、亜鉛材、銀材，銅材、（Ｔ−１０００３）の電極の電極間に炭クロスを挿入、３積層に重ね大きい炭クロスに固着、遠赤外線を測定、測定波長は１．３μm〜１４．５μm、有効波長が３．０μm〜１４．５μmであり遠赤外線を亜鉛板から放射を確認、測定値は表２１−２〜４に示す通りであり、電極形状は図２に示す通りである。以上の実験結果の詳細を表２２に示す。表２２は、図５１に示す亜鉛板、ステンレス、アルミニウム板、銀板（Ｔ１０００５）を４積層した際に発生する静電気、電圧、電流値の測定値である。
【表２２】
2011078958.tif 000006
実験で、図５１に示すように、亜鉛板、ステンレス、アルミニウム板、銀板（Ｔ１０００５）を４積層にし、その間に布又炭クロスを挿入、少し大きい布又炭クロスに固着した４積層電極は水蒸気が存在する状態（空気中）で電場形成、静電気、電圧、電流を発生、外部からの電気化学的腐食反応促進として太陽光を電極表面に当てると温度上昇、又電解溶液、温水、海水、氷の浮かぶ海水に浸漬、又氷の中に電極を閉じ込めると電気化学的反応（電気化学的腐食反応）が更に活発になり、電場形成し、静電気、電圧、電流値を大きく生じる。
（遠赤外線の力）
起電力の異なる金属電極を２組以上組み合わせた浄化体より電極表面から発生する遠赤外線の力で身体の細胞を深層から温める作用により血流の流れが良くなり温熱作用により身の冷え症、神経痛、筋肉痛、肩凝り、腰痛などの痛みが改善される。
（還元水）
起電力の異なる金属電極を２組以上組み合わせた浄化体を電解溶液の中に浸漬すると電気化学反応（電気化学的腐食反応）で電解溶液が酸化還元作用を持ち、酸化還元電位計で測定すると酸化還元電位が降順し還元水になり体の中のさまざま病気の原因となる活性酸素を消去し遺伝子の本体であるＤＮＡを損傷、過酸化脂肪が血管壁の内膜に付着する動脈硬化、眼球レンズの内膜に付着する白内障、老化、癌、高血圧を防ぐ。
（防錆）
原油、鉱物油類の油中の水分を浄化体の微弱電流の放電により電気分解を起こすることにより、マイナスイオン量の増加、油分中の硫化物による変質酸化上昇を抑え鉄の防錆効果を高め、防錆を行う。
（ダクトの空気の抗菌、抗カビ対策）
老人施設や病棟へ空調ダクトから空気がつねに出ているが、ダクトの解体清掃、防カビ処理が困難で、噴出す空気の中に細菌、カビ、酵母が含まれ、高齢者や入院患者は肺炎の原因になる細菌、カビ、酵母が室内に舞って、口、鼻から侵入し病気を誘発、又傷を悪化させる。そのため起電力の異なる金属電極を２組以上組み合わせた浄化体で静電気発生、電場形成で浮遊する細菌、カビ、酵母を陰極、又陽極に集菌、金属表面より溶け出た金属の毒性、静電放電、金属イオン、電圧放電、電流放電で抗菌、抗カビを滅菌する。
（静電気）
起電力の異なる金属電極を２組以上組み合わせた浄化体は、太陽の光を受けて発熱、空気、空気中の湿気（水蒸気）、水、海水に浸り静電気発生、電場形成で車、列車、船舶、飛行機、宇宙船、ロケットの本体側面と外部の接触面の間に静電気、電場形成の膜で空気、水、海水、宇宙空間の接触抵抗を減少させる。
（宇宙船の電源供給）
ロケット、宇宙船の船体に起電力の異なる金属を２組以上組み合わせた浄化体を固着、飛行中に船体にあたる太陽光により静電気、電場形成、電圧、電流の発生により電源として利用する。
実験で、起電力の異なる金属電極を２組以上組み合わせた浄化体を電解溶液に浸漬すると電極電位差を原動力として電気化学反応（電気化学的腐食）が起こし、発生電圧、電流を布又炭クロスの電気二重層キャパシタに蓄積、水の電気分解を起こす電圧１．４Ｖ付近に達し放電で水の電気分解を起こし、陰極の金属表面に水素ガスの泡が発生、陽極の金属表面に酸素ガスが発生により酸化することを確認する。
実験で、起電力の異なる金属電極の銀線とアルミニウム線を離間し炭クロスに固着、電解溶液に浸漬すると電位差で電気化学反応が起こり、静電気が発生、電場形成、電解溶液中に分散の大腸菌群は陰極の銀線に集菌、更に単一電池（１．５Ｖ）で銀線とアルミニウム線に印加すると銀線電極の表面に集菌し１２時間経過する大腸菌群が集積死滅し検査で殺菌が検出されない。
電極上で培養したＨｅＬａ細胞について、−０．２Ｖ〜＋１．２Ｖ定電位を印加したときの細胞の形態および増殖に及ぼす電気効果を示す。細胞膜表面はマイナスに帯電しているため−０．２Ｖから＋０．４Ｖで細胞は電位に応じて、本来の紡錘形から球状へと形態変化が観察されるものの死に至ることはない。＋０．７Ｖでは徐々に死滅し、＋１．２Ｖではすべての細胞が１時間以内で死滅する。
（非特許文献）財団法人電気化学会著、「電気化学便覧」丸善株式会社出版、２０００年６月３０日発行、細胞制御技術、Ｐ３３９
「電解圧以下の電圧でつくられる水の電気分解」水の分子は電場が加わっていない時でもＨ2Ｏ→  ←  Ｈ+  ＋  ＯＨ-  で表せる平衡状態にあり、水は電場がかかっていない時でも、各イオンの反対符号の電極面に向かって移動し、電極間に電流が流れる。この場合の電気分解は図５２のＤより左の部分に当たり（電解圧以下の電圧）、負極面での水素ガスの発生はあっても、正極面における酸素ガスの発生はない。水素イオンＨ+と水酸イオンＯＨ-は各々水分子と水和結合して、Ｈ3Ｏ+（ヒドロニウムイオン）とＨ3Ｏ2-（ヒドロキシルイオン）になる。これらのイオンの水の中での移動は隣の水分子にＨ+またはＯＨ-だけを受け渡し、結果としてイオンが移動する、いわゆる「ホッピング・モデル」による。Ｈ+イオンの移動速度に比べて２倍程度早いのと、Ｈ+イオンの放電電位が低く、電極面で容易に放電してＨ2になりガスとなって水から失われ、一方のＯＨ-イオンのほうは電極面での放電電位が大きいため電荷をもったイオンのまま水流の中に拡散される。
水の電気分解
Ｈ2Ｏ  →  ←  Ｈ+    ＋    ＯＨ-
水      水素イオン    水酸イオン
Ｈ+    ＋    Ｈ2Ｏ    →  Ｈ3Ｏ+    ［水素イオンの一部はＨ2ガス（水素ガス）になる］
水素イオン        水      ヒドロニウムイオン
ＯＨ-    ＋  Ｈ2Ｏ    →  Ｈ3Ｏ2+ 
水酸イオン      水        ヒドロキシルイオン  
（非特許文献）綿抜邦彦、久保田昌治監修、「新しい水の科学と利用技術」、株式会社サイエンフォーラム出版、１９９２年１１月１０日、Ｐ３０４
「水の電気分解と活性酸素（フリーラジカル）」、電解圧以上で電気分解された水の場合、カソード（陰極）からの水素の発生とともにアノード（陽極）から酸素が発生する。電極面から発生する酸素は空気中の酸素のように安定で活性の穏やかなものだけでなく、発生機の酸素と呼ばれる原子の酸素（Ｏ）や最近、活性酸素と呼ばれ医学および生化学において大きな問題になっている極めて活性の強い分子状の酸素、および酸素化合物がつくられる。この活性酸素は、金属類を烈しく腐食し、生体細胞の組織を攻撃・破壊して人間の老化や多くの病気の原因になることが明らかになっている。
（非特許文献）綿抜邦彦、久保田昌治監修、「新しい水の科学と利用技術」、株式会社サイエンフォーラム出版、１９９２年１１月１０日、Ｐ３０７
腐食とは、金属が化学的あるいは電気化学的反応により劣化損傷する現象で、金属イオンを溶出するとともに表面になんらかの反応被膜（腐食生成物）を形成する反応である。人体中でも腐食は起こり、金属材料の毒性や破壊の原因となる。
（非特許文献）▲塙▼隆夫・米山隆之共著、「金属バイオマテリアル」、コロナ社、２００７年９月２８日、Ｐ５３
すき間腐食は、物資移動が妨げられる過程で、溶液側が局部的に酸性高塩化物濃度になる場合に起きる。このとき、不動態皮膜は不安定になり電気化学的に溶解する。ボーンプレートとスクリュートとの固定部の近傍、ボーンプレートと骨のすき間などで、皮膜の破壊と再生が繰り返されると、局部的にＨ+濃度が高くなり、すき間腐食が起こりうる。また、細胞が付着した金属表面もすき間腐食のサイトとなりうる。
（非特許文献）▲塙▼隆夫・米山隆之共著、「金属バイオマテリアル」、コロナ社、２００７年９月２８日、Ｐ１２０
細胞膜は細胞内外の液と比較して抵抗が、１，０００倍以上も高く（１０9Ω・ｃｍ-1）、コンデンサとしてみなすことができる。細胞を溶液に入れ、平行電極間におき、細胞膜の力学的耐性の臨界値を超えるようなパルス電位を印加すると、放電の際に膜の一部が可逆的に破壊され、細胞に瞬時に穴が開くことから、エレクトロボレーションや細胞融合、殺菌などへ利用されている。
（非特許文献）財団法人電気化学会著、「電気化学便覧」丸善株式会社出版、２０００年６月３０日発行、電極による生物制御、Ｐ３３７